Podtech/llm-jp-corpus-v4-ja_patent huggingface dataset:
【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
（ｉ）金属ベースプレートと、
（ｉｉ）前記金属ベースプレート上に取り付けられた少なくとも１つの燃料電池スタックと、
（ｉｉｉ）金属エンドプレートと、
を備える金属担持固体酸化物燃料電池スタックアセンブリであって、
各少なくとも１つの燃料電池スタックは、前記金属ベースプレートと前記金属エンドプレートとの間に取り付けられて配置され、少なくとも１つの燃料電池スタック層を備え、各少なくとも１つの燃料電池スタック層は、少なくとも１つの燃料電池および少なくとも１つの電気絶縁性圧縮ガスケットを備え、
スカートが、前記少なくとも１つの燃料電池スタックを封入するために前記金属ベースプレートおよび前記金属エンドプレートに付着され、かつ前記金属ベースプレートと前記金属エンドプレートとの間に付着され、前記少なくとも１つの燃料電池スタックを通る圧縮力を維持するために前記金属ベースプレートおよび前記金属エンドプレートへの張力及び前記金属ベースプレートと前記金属エンドプレートとの間の張力下にあり、
少なくとも１つの電気絶縁性ガスケットは、前記少なくとも１つの燃料電池スタックの外部表面と前記スカートの隣接内部表面との間に挟まれており、
前記少なくとも１つの電気絶縁性ガスケットは、前記少なくとも１つの燃料電池スタックの外側の周りで酸化剤の流れを防止することを特徴とする、金属担持固体酸化物燃料電池スタックアセンブリ。
【請求項２】
前記スカートは、前記少なくとも１つの燃料電池スタックの熱膨張係数よりも大きい熱膨張係数を有し、
前記金属担持固体酸化物燃料電池スタックアセンブリはさらに、前記金属ベースプレートと前記金属エンドプレートとの間に位置する少なくとも１つの膨張板を備え、
前記少なくとも１つの膨張板は、前記スカートのそれよりも大きい熱膨張係数を有する、請求項１に記載の金属担持固体酸化物燃料電池スタックアセンブリ。
【請求項３】
燃料入口から排出燃料出口までの燃料流路は、前記少なくとも１つの燃料電池スタック内で多岐化されるように内部で多岐化される、請求項１又は２に記載の金属担持固体酸化物燃料電池スタックアセンブリ。
【請求項４】
前記少なくとも１つの燃料電池スタックと電気接触する第１および第２のエンドポールをさらに備え、前記金属ベースプレートおよび前記金属エンドプレートは、前記少なくとも１つの燃料電池スタックから電気的に分離される、請求項１から３のいずれか一項に記載の金属担持固体酸化物燃料電池スタックアセンブリ。
【請求項５】
前記スカートは、金属スカートである、請求項１から４のいずれか一項に記載の金属担持固体酸化物燃料電池スタックアセンブリ。
【請求項６】
前記スカートは、溶接によって、前記金属ベースプレートおよび前記金属エンドプレートに付着され、かつ前記金属ベースプレートと前記金属エンドプレートとの間に付着される、請求項１から５のいずれか一項に記載の金属担持固体酸化物燃料電池スタックアセンブリ。
【請求項７】
酸化剤流路は、酸化剤入口から排出酸化剤出口まで規定され、
前記酸化剤流路は、前記少なくとも１つの燃料電池スタックの外部で且つ前記金属担持固体酸化物燃料電池スタックアセンブリの内部で多岐化されるように外部で多岐化される、請求項１から６のいずれか一項に記載の金属担持固体酸化物燃料電池スタックアセンブリ。
【請求項８】
酸化剤多岐化体積は、前記金属ベースプレート、前記金属エンドプレート、前記スカート、および前記少なくとも１つの燃料電池スタックの間で規定されており、
任意選択的に、前記スカートは、溶接によって、前記金属ベースプレートおよび前記金属エンドプレートに付着され、かつ前記金属ベースプレートと前記金属エンドプレートとの間に付着され、前記溶接はガス気密シールを形成する、請求項７に記載の金属担持固体酸化物燃料電池スタックアセンブリ。
【請求項９】
酸化剤入口端部及び排出酸化剤出口端部を有する、請求項１から８のいずれか一項に記載の金属担持固体酸化物燃料電池スタックアセンブリ。
【請求項１０】
（ａ）（ｉ）金属ベースプレート、
（ｉｉ）前記金属ベースプレート上に取り付けられた少なくとも１つの燃料電池スタック、および
（ｉｉｉ）金属エンドプレートをアセンブルするステップであって、
各少なくとも１つの燃料電池スタックは、前記金属ベースプレートと前記金属エンドプレートとの間に取り付けられて配置され、少なくとも１つの燃料電池スタック層を備え、各少なくとも１つの燃料電池スタック層は、少なくとも１つの燃料電池および少なくとも１つの電気絶縁性圧縮ガスケットを備える、ステップと、
（ｂ）前記少なくとも１つの燃料電池スタックを通って圧縮力を印加するステップと、
（ｃ）前記少なくとも１つの燃料電池スタックを封入するためにスカートを前記金属ベースプレートおよび前記金属エンドプレートに付着し、かつ前記金属ベースプレートと前記金属エンドプレートとの間に付着するステップであって、前記スカートが、前記少なくとも１つの燃料電池スタックの外部表面と前記スカートの隣接内部表面との間で少なくとも１つの電気絶縁性ガスケットを挟んでおり、前記少なくとも１つの電気絶縁性ガスケットが、前記少なくとも１つの燃料電池スタックの外側の周りで酸化剤の流れを防止すステップと、
（ｄ）前記少なくとも１つの燃料電池スタックへの圧縮荷重が、前記スカート内の張力を通じて維持されるように、圧縮力を除去するステップと、
を含む、金属担持固体酸化物燃料電池スタックアセンブリを形成する方法。
【請求項１１】
前記スカートは、前記少なくとも１つの燃料電池スタックの熱膨張係数よりも大きい熱膨張係数を有し、
前記金属担持固体酸化物燃料電池スタックアセンブリはさらに、前記金属ベースプレートと前記金属エンドプレートとの間に位置する少なくとも１つの膨張板を備え、
前記少なくとも１つの膨張板は、前記スカートのそれよりも大きい熱膨張係数を有する、請求項１０に記載の方法。
【請求項１２】
前記スカートは、複数のスカートセクションを備える、請求項１０又は１１に記載の方法。
【請求項１３】
前記スカートは、第１のスカートセクションおよび第２のスカートセクションを備える、請求項１２に記載の方法。
【請求項１４】
前記スカートは、金属スカートである、請求項１０から１３のいずれか一項に記載の方法。
【請求項１５】
前記スカートは、溶接によって、前記金属ベースプレートおよび前記金属エンドプレートに付着され、かつ前記金属ベースプレートと前記金属エンドプレートとの間に付着される、請求項１０から１４のいずれか一項に記載の方法。
【請求項１６】
前記圧縮力は、圧縮手段を使用して前記少なくとも１つの燃料電池スタックを通って印加される、請求項１０から１５のいずれか一項に記載の方法。
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
通信ケーブルであって、
コンダクタの複数のツイストペアを含むケーブルコアと、
前記通信ケーブルの前記ケーブルコアとジャケットとの間に配置された金属箔テープであって、前記金属箔テープは、前記金属箔テープの金属層内で複数の非連続領域を生じさせる複数のカットを含む、前記金属箔テープと、
を含み、
前記非連続領域がオーバラップして、複数のオーバラップする領域を形成するように、前記金属箔テープが前記ケーブルコアの周りに覆われ、前記オーバラップする領域は、直列に接続されたキャパシタンスを生じさせ、それによって、前記オーバラップする非連続領域の間のキャパシタンス全体を減少させ、さらに、
前記複数のカットは、前記金属箔テープの１つの側面において開始する第１のストレートカット及び前記金属箔テープの第２の側面の近くで反対の角度において前記第１のストレートカットを分岐する２つのカットを有するＹ型カットを形成する、
前記通信ケーブル。
【請求項２】
前記オーバラップする非連続領域の間の前記キャパシタンス全体は、２の倍数だけ減少される、請求項１に記載の通信ケーブル。
【請求項３】
前記複数のオーバラップする領域は、三角形のオーバラップする領域である、請求項１に記載の通信ケーブル。
【請求項４】
前記第１のストレートカットを分岐する前記２つのカットは、４度及び−４度のそれぞれの角度を有する、請求項１に記載の通信ケーブル。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
（ａ）一般式Ｌｉ１＋ｘＴＭ１−ｘＯ２による混合酸化物を、酸化性雰囲気中、７５０〜１０００℃の範囲内の温度で合成する工程（式中、ＴＭは、Ｍｎ、Ｃｏ、およびＮｉから選択される２種以上の遷移金属と、任意に、Ｂａ、Ａｌ、Ｔｉ、Ｚｒ、Ｗ、Ｆｅ、Ｃｒ、Ｋ、Ｍｏ、Ｎｂ、Ｍｇ、Ｎａ、およびＶから選択される少なくとももう１種の金属との組み合わせであり、ｘは、ゼロ〜０．２の範囲内である）、
（ｂ）工程（ａ）から得られた材料を１００〜４００℃の範囲内の温度に冷却する工程、
（ｃ）ＢＦ３、ＳＯ２、およびＳＯ３から選択される少なくとも１種の反応物質を前記１００〜４００℃で添加する工程、
（ｄ）５０℃以下の温度に冷却する工程
を含む、リチウムイオン電池用正極活物質を作製する方法。
【請求項２】
ＴＭが、一般式（Ｉ）
ＮｉａＣｏｂＭｎｃＭｄ    （Ｉ）
［式中、
ａは、０．３〜０．９の範囲内であり、
ｂは、０．０５〜０．４の範囲内であり、
ｃは、０．０５〜０．６の範囲内であり、
ｄは、ゼロ〜０．１の範囲内であり、
Ｍは、Ｂａ、Ａｌ、Ｔｉ、Ｚｒ、Ｗ、Ｆｅ、Ｃｒ、Ｋ、Ｍｏ、Ｎｂ、Ｍｇ、Ｎａ、およびＶから選択され、
ａ＋ｂ＋ｃ＋ｄ＝１である］
による金属の組み合わせである、請求項１に記載の方法。
【請求項３】
前記混合酸化物が、少なくとも１種のリチウム塩と、ＴＭの混合酸化物、水酸化物、炭酸塩、またはオキシ水酸化物との混合物から合成される、請求項１または２に記載の方法。
【請求項４】
前記リチウム塩が、水酸化リチウムおよび炭酸リチウムから選択される、請求項３に記載の方法。
【請求項５】
工程（ａ）における酸化性雰囲気が、空気、酸素、および酸素富化空気から選択される、請求項１から４のいずれか一項に記載の方法。
【請求項６】
工程（ｃ）において、前記反応物質が、酸素、酸素富化乾燥空気、乾燥空気、窒素、希ガス、または前述の少なくとも２種の組み合わせの流れに添加される、請求項１から５のいずれか一項に記載の方法。
【請求項７】
工程（ｃ）および（ｄ）が、空気、酸素、窒素、希ガス、または前述の少なくとも２種の組み合わせの雰囲気中で行われる、請求項１から６のいずれか一項に記載の方法。
【請求項８】
反応物質の濃度が、工程（ｃ）が実施される雰囲気を基準にして０．１〜３体積％の範囲内である、請求項１から７のいずれか一項に記載の方法。
【請求項９】
工程（ｃ）と（ｄ）との間に、温度を１００〜４００℃の範囲内に維持する工程（ｅ）が追加される、請求項１から８のいずれか一項に記載の方法。
【請求項１０】
工程（ａ）と、工程（ｂ）〜（ｄ）または該当する場合（ｅ）のうち少なくとも１つとがガス流下で行われる、請求項１から９のいずれか一項に記載の方法。
【請求項１１】
工程（ａ）〜（ｄ）がローラーハースキルン、プッシャーキルン、またはロータリーキルン内で行われる、請求項１から１０のいずれか一項に記載の方法。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
胸部ベルトを使用して呼吸努力信号を測定するステップ、及び
ＳｐＯ２センサを使用して心拍数情報を収集するステップ
を含む、対象者の心呼吸系情報を収集するステップと、
前記呼吸努力信号から活動記録の特徴を得るステップを含む、前記心呼吸系情報から特徴を抽出するステップと、
抽出した前記特徴の少なくともいくつかを使用することによって前記対象者の睡眠段階を決定するステップと、
前記決定した睡眠段階に基づいて、前記対象者の推定合計睡眠時間を決定するステップと、
前記推定合計睡眠時間を使用して、前記対象者の睡眠統計を決定するステップとを含む、対象者の睡眠統計を決定する方法。
【請求項２】
前記決定した睡眠段階に基づいて、前記対象者の推定合計睡眠時間を決定するステップが、
各睡眠段階の持続時間を推定するステップと、
前記睡眠段階の前記持続時間を合計するステップとを含む、請求項１に記載の方法。
【請求項３】
前記対象者の心呼吸系情報を収集するステップが、自宅睡眠検査デバイスを介して心呼吸系情報を収集するステップを含む、請求項１又は２に記載の方法。
【請求項４】
前記心呼吸系情報から特徴を抽出するステップが、心拍数変動の特徴、呼吸変動の特徴、又は身体運動の少なくとも１つを抽出するステップを更に含む、請求項１から３のいずれか一項に記載の方法。
【請求項５】
前記対象者の心呼吸系情報を収集するステップが、胸部ベルト及びＳｐＯ２センサを使用して呼吸努力信号を測定するステップを含む、請求項１から４のいずれか一項に記載の方法。
【請求項６】
加速度計を介して前記対象者の身体運動に関する情報を収集するステップを更に含む、請求項１から５のいずれか一項に記載の方法。
【請求項７】
呼吸胸部ベルト及びＳｐＯ２センサの１つ又は複数から受信した情報を介して、身体運動に関する情報を決定するステップを更に含む、請求項１から６のいずれか一項に記載の方法。
【請求項８】
前記決定した睡眠段階の１つ又は複数の指示を前記対象者に提供するステップを更に含む、請求項１から７のいずれか一項に記載の方法。
【請求項９】
請求項１から８のいずれか一項に記載の方法を実施するプログラムコードを備える、コンピュータプログラム。
【請求項１０】
請求項９に記載のコンピュータプログラムで符号化された、非一時的機械可読媒体。
【請求項１１】
請求項１から８のいずれか一項に記載の方法を実施するようにプログラミングされたプロセッサを有する、睡眠モニタリングデバイス。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
折れた骨の断片を解剖学的に位置整合させるための変換を決定するためのコンピュータ実施方法であって、前記コンピュータ実施方法は、
対象者の折れた骨の３Ｄ画像を取得するステップであって、前記骨は２つ以上の断片に折れている、ステップと、
対応する折れていない骨のモデル、及び、前記モデルに対する１つ又は複数の変形を規定する少なくとも１つのパラメータを取得するステップであって、前記モデルは３Ｄメッシュモデルである、ステップと、
前記折れていない骨の前記モデルを、前記折れた骨の前記断片に対応する部分に分割するステップと、
前記折れていない骨の前記モデルの前記部分を、前記３Ｄ画像内の前記折れた骨の対応する断片に適合させるステップであって、前記適合させるステップは、前記折れていない骨の前記モデルの前記部分を調整することを有し、前記調整することは、前記少なくとも１つのパラメータによって規定される前記１つ又は複数の変形に制約される、ステップと、
前記モデルの適合された前記部分に基づいて、前記折れた骨の前記断片を、前記折れていない骨の分割されていない前記モデルの前記対応する部分と解剖学的に位置整合させる変換を決定するステップと
を有する、コンピュータ実施方法。
【請求項２】
対応する前記折れていない骨の前記モデルは、他の対象者の１つ又は複数の対応する折れていない骨から導出されるメッシュを含む、請求項１に記載のコンピュータ実施方法。
【請求項３】
前記分割するステップは、
前記折れていない骨の前記モデルの一部分を、前記３Ｄ画像内の前記折れた骨の対応する断片に適合させることと、
少なくとも１つの他の断片から破断されている前記断片の表面を識別することと、
前記モデル内の対応する表面に沿って前記モデルを分割することと
を有する、請求項１に記載のコンピュータ実施方法。
【請求項４】
少なくとも１つのパラメータが、
前記モデルが調整可能である１つ又は複数の方向、
前記モデルが調整可能である１つ又は複数の次元、
前記モデルの一部分の位置が前記モデルの別の部分の位置に対して調整可能である程度の上限、及び
前記モデルの一部分の位置が前記モデルの別の部分に対して調整可能である程度の上限
のうちのいずれか１つ又は複数を規定する、請求項１に記載のコンピュータ実施方法。
【請求項５】
前記少なくとも１つのパラメータは、前記モデルの複数の異なる部分に対する許容される変形のパラメータ空間に関係する、請求項１から４のいずれか一項に記載のコンピュータ実施方法。
【請求項６】
前記コンピュータ実施方法は、
前記対象者の属性を取得するステップをさらに有し、
前記折れていない骨の前記モデルの部分を、前記折れた骨の対応する断片に適合させることは、
前記許容される変形のパラメータ空間を、取得された前記対象者の前記属性と一致する折れていない骨の形状に対応する変形に制約することを有する、請求項５に記載のコンピュータ実施方法。
【請求項７】
前記コンピュータ実施方法は、
前記対象者の前記折れた骨の前記断片に関する情報を決定するステップと、
前記折れた骨の前記断片を解剖学的に位置整合させるために、前記情報に基づいて決定された前記変換を調整するステップと
をさらに有する、請求項１から６のいずれか一項に記載のコンピュータ実施方法。
【請求項８】
前記対象者の前記折れた骨の前記断片に関して決定される前記情報は、前記断片内の密度変動を示す情報を含む、請求項７に記載のコンピュータ実施方法。
【請求項９】
前記対象者の前記折れた骨の前記断片から決定される前記情報は、前記折れた骨の前記断片内の１つ又は複数の柱構造の位置を示す情報を含み、
前記調整するステップは、
前記１つ又は複数の柱構造を解剖学的に位置整合させるために、前記１つ又は複数の柱構造の前記位置を示す前記情報に基づいて、決定された前記変換を調整することを有する、請求項７又は８に記載のコンピュータ実施方法。
【請求項１０】
前記１つ又は複数の柱構造の前記位置は、前記断片内の密度変動から取得される、請求項９に記載のコンピュータ実施方法。
【請求項１１】
前記モデルは、統計形状モデルであり、前記少なくとも１つのパラメータは、前記統計形状モデルの少なくとも１つの固有モードを含む、請求項１から１０のいずれか一項に記載のコンピュータ実施方法。
【請求項１２】
適切なコンピュータ又はプロセッサによって実行されると、前記コンピュータ又は前記プロセッサに、請求項１から１１のいずれか一項に記載のコンピュータ実施方法を実施させるコンピュータ可読コードを有する、コンピュータ可読媒体。
【請求項１３】
折れた骨の断片を解剖学的に位置整合させるための変換を決定するための装置であって、前記装置は、
対象者の折れた骨の３Ｄ画像を取得することであって、前記骨は２つ以上の断片に折れている、ことと、
対応する折れていない骨のモデル、及び、前記モデルに対する１つ又は複数の変形を規定する少なくとも１つのパラメータを取得することであって、前記モデルは３Ｄメッシュモデルである、ことと、
前記折れていない骨の前記モデルを、前記折れた骨の前記断片に対応する部分に分割することと、
前記折れていない骨の前記モデルの前記部分を、前記３Ｄ画像内の前記折れた骨の対応する断片に適合させることであって、前記適合させることは、前記折れていない骨の前記モデルの前記部分を調整することを有し、前記調整することは、前記少なくとも１つのパラメータによって規定される前記１つ又は複数の変形に制約される、ことと、
前記モデルの適合された前記部分に基づいて、前記折れた骨の前記断片を、前記折れていない骨の分割されていない前記モデルの前記対応する部分と解剖学的に位置整合させる変換を決定することと
を行うプロセッサを備える、装置。
【請求項１４】
前記プロセッサは、前記分割することを、
前記折れていない骨の前記モデルの一部分を、前記３Ｄ画像内の前記折れた骨の対応する断片に適合させることと、
少なくとも１つの他の断片から破断されている前記断片の表面を識別することと、
前記モデル内の対応する表面に沿って前記モデルを分割することと
によって行う、請求項１３に記載の装置。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
患者における閉塞性睡眠時無呼吸と高血圧との同時的な治療のためのガスフロー生成器であって、前記ガスフロー生成器は、
ａ）最初のフローパラメータのセットに従って、治療ガスのフローを前記患者の気道に提供するステップと、
ｂ）前記患者が、前記最初のフローパラメータのセットに従って提供される前記治療ガスのフローを受け取りながら、安定的な呼吸を達成したと判断するステップと、
ｃ）前記フローパラメータを上昇させるステップと、
ｄ）所定の時間期間が経過したと判断されるまで、上昇させた前記フローパラメータに従って、前記治療ガスのフローを前記患者の気道に提供するステップと、
ｅ）前記フローパラメータのさらなる上昇がなされるべきではないことを示す上昇停止インジケータが、発生した及び／又は存在するかどうかを判断するステップと、
ｆ）前記上昇停止インジケータが発生していない及び／又は存在しないと判断された場合、前記フローパラメータをさらに上昇させるステップと、
ｇ）さらに上昇させた前記フローパラメータに従って、所定の時間、前記治療ガスのフローを前記患者の気道に提供するステップと
を実行するコントローラを有し、
前記上昇停止インジケータは、
停止条件を生じさせるような圧力サポートを増加させようとする試みが何度かなされたことを示す、閾値、
超えるべきではない安全性及び機械性能に基づく、最大圧力サポート閾値、及び
超えるべきではない有効範囲に基づく、最大過膨張閾値
のうちの少なくとも１つを含む、ガスフロー生成器。
【請求項２】
前記コントローラはさらに、出口インジケータの発生が判断されるまで、ステップｄ）、ｅ）及びｆ）を反復的に実行する、請求項１に記載のガスフロー生成器。
【請求項３】
前記コントローラはさらに、出口インジケータの発生を判断するステップと、それに応答して、前記最初のフローパラメータのセットに従って前記治療ガスのフローを前記患者の気道に提供ステップと、をさらに実行する、請求項１又は２に記載のガスフロー生成器。
【請求項４】
前記出口インジケータの発生を判断するステップは、全体的な時間リミットが終了したと判断するステップ、及び／又は、前記停止条件のカウンタが所定のカウントに到達したと判断するステップを有する、請求項２又は３に記載のガスフロー生成器。
【請求項５】
前記フローパラメータを上昇させるステップは、前記フローパラメータを、第１の所定のインクリメントだけ上昇させるステップを有する、請求項１から４のいずれか一項に記載のガスフロー生成器。
【請求項６】
前記コントローラはさらに、
前記治療ガスのフローを前記患者の気道に提供するときに、停止条件が発生したと判断するステップと、それに応答して、
前記フローパラメータを低下させるステップと、
低下させた前記フローパラメータに従って、前記治療ガスのフローを前記患者の気道に提供するステップと、
を実行する、請求項１から５のいずれか一項に記載のガスフロー生成器。
【請求項７】
前記フローパラメータを低下させるステップは、前記フローパラメータを、第２の所定のインクリメントだけ低下させるステップを有する、請求項６に記載のガスフロー生成器。
【請求項８】
前記第２の所定のインクリメントは、第１の所定のインクリメント未満である、請求項７に記載のガスフロー生成器。
【請求項９】
前記コントローラはさらに、
低下させた前記フローパラメータに従って前記治療ガスのフローを前記患者の気道に提供する間に、前記停止条件が停止したと判断するステップと、それに応答して、
前記フローパラメータを上昇させるステップと、
上昇させた前記フローパラメータに従って、呼吸ガスのフローを前記患者に提供するステップと、
を実行する、請求項６から８のいずれか一項に記載のガスフロー生成器。
【請求項１０】
前記コントローラはさらに、
低下させた前記フローパラメータに従って前記治療ガスのフローを前記患者の気道に提供する間に、前記停止条件が停止していないと判断するステップと、それに応答して、
前記フローパラメータを低下させるステップと、
低下させた前記フローパラメータに従って、呼吸ガスのフローを前記患者に提供するステップと、
を実行する、請求項６から９のいずれか一項に記載のガスフロー生成器。
【請求項１１】
前記ガスフロー生成器は、前記患者の気道に送るための呼吸ガスのフローを生成する圧力生成システムをさらに有し、
前記コントローラは、前記治療ガスのフローを前記患者の気道に提供するために前記圧力生成システムを制御する、
請求項１から１０のいずれか一項に記載のガスフロー生成器。
【請求項１２】
前記ガスフロー生成器は、送達導管の内部に、呼吸ガスのフローを測定するフローセンサをさらに有し、
前記コントローラは、測定された前記呼吸ガスのフローに基づいて、前記患者が安定した呼吸を達成したと判断する、
請求項１から１１のいずれか一項に記載のガスフロー生成器。
【請求項１３】
請求項１から１２のいずれか一項に記載のガスフロー生成器を動作させるための命令が符号化された、機械可読メモリ。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
ユーザの皮膚と電気的に接触し、前記ユーザの乳様突起領域又はその近くで前記ユーザの耳の後ろに配置される電極であって、
前記ユーザの皮膚から電気信号を受信する導電性接点と、
前記導電性接点を前記ユーザの皮膚に結合させる皮膚カプラーと、
を含み、
前記皮膚カプラーは、皮膚に接着係合する接着層を含み、
前記皮膚カプラーは、ベース領域が前記導電性接点を囲むように前記導電性接点を受ける開口部を有する当該ベース領域、及び前記ベース領域から離れて延在する少なくとも２つの延長領域を含む、電極。
【請求項２】
外部コンピューティングシステムへの前記電極の結合を容易にする電気的結合器を更に含む、請求項１に記載のシステム。
【請求項３】
前記少なくとも２つの延長領域は、前記少なくとも２つの延長領域間に鈍角を形成するそれぞれの方向に延在し、前記鈍角は、約１００度と２００度との間の範囲にある、請求項１又は２に記載のシステム。
【請求項４】
前記電極は、対称軸を含み、前記少なくとも２つの延長領域それぞれは、前記対称軸に対して鋭角を形成する、請求項１から３のいずれか一項に記載のシステム。
【請求項５】
前記導電性接点は、導電性ヒドロゲル材料を含む、請求項１から４のいずれか一項に記載のシステム。
【請求項６】
電極を介してユーザの皮膚との電気的接触を提供する方法であって、
前記電極は、前記ユーザの乳様突起領域又はその近くで前記ユーザの耳の後ろに配置され、導電性接点及び皮膚カプラーを含み、前記方法は、
前記皮膚カプラーを用いて、前記導電性接点を前記ユーザの皮膚に着脱可能に結合させるステップと、
前記導電性接点を介して、前記ユーザの皮膚から電気信号を受信するステップと、
を含み、
前記皮膚カプラーは、皮膚に接着係合する接着層を含み、
前記皮膚カプラーは、ベース領域が前記導電性接点を囲むように前記導電性接点を受ける開口部を有する当該ベース領域、及び前記ベース領域から離れて延在する少なくとも２つの延長領域を含む、方法。
【請求項７】
前記電極を外部コンピューティングシステムに結合させるステップを更に含む、請求項６に記載の方法。
【請求項８】
前記少なくとも２つの延長領域は、前記少なくとも２つの延長領域間に鈍角を形成するそれぞれの方向に延在し、前記鈍角は、約１００度と２００度との間の範囲にある、請求項６又は７に記載の方法。
【請求項９】
前記電極は、対称軸を含み、前記少なくとも２つの延長領域それぞれは、前記対称軸に対して鋭角を形成する、請求項６から８のいずれか一項に記載の方法。
【請求項１０】
前記導電性接点は、導電性ヒドロゲル材料を含む、請求項６から９の何れか一項に記載の方法。
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
ハンドルに取り付けられたフレキシブル伸長機器部と、
前記ハンドル内に完全に含まれる複数の導電性形状記憶素子と、
を含み、
前記フレキシブル伸長機器部は、前記フレキシブル伸長機器部の遠位端における操縦可能なフレキシブル先端部、及び、前記操縦可能なフレキシブル先端部に取り付けられ、前記操縦可能なフレキシブル先端部を操縦するための複数のプルワイヤを含み、
各導電性形状記憶素子は、前記複数のプルワイヤの１つと電流源接続部との間に取り付けられ、長さ方向に延在し、前記長さ方向において負の膨張係数を有する各導電性形状記憶素子が、前記電流源接続部と端子との間の電流の流れを可能にする、侵襲的医療機器。
【請求項２】
前記ハンドル内に、前記複数の導電性形状記憶素子を冷却する冷却装置を更に含む、請求項１に記載の侵襲的医療機器。
【請求項３】
前記冷却装置は、複数のチャネルを含むヒートシンク装置を含み、各導電性形状記憶素子は、前記複数のチャネルの１つの中を少なくとも部分的に延在する、請求項２に記載の侵襲的医療機器。
【請求項４】
前記ヒートシンク装置は、少なくとも１つの金属又は金属合金ヒートシンクを含み、各チャネルは、電気絶縁材料で裏打ちされている、請求項３に記載の侵襲的医療機器。
【請求項５】
前記冷却装置は、前記複数の導電性形状記憶素子と熱接触する冷却流体流を生成する、請求項２から４のいずれか一項に記載の侵襲的医療機器。
【請求項６】
各導電性形状記憶素子は、形状記憶合金を含むワイヤである、請求項１から５のいずれか一項に記載の侵襲的医療機器。
【請求項７】
各導電性形状記憶素子は、前記導電性形状記憶素子及びプルワイヤをそれぞれ固定部材内に固定するための１対のねじを含む前記固定部材を介して前記プルワイヤに取り付けられる、請求項１から６のいずれか一項に記載の侵襲的医療機器。
【請求項８】
各プルワイヤは、前記フレキシブル伸長機器部の少なくとも一部の中に延在する管腔内に収容される、請求項１から７のいずれかに一項に記載の侵襲的医療機器。
【請求項９】
前記侵襲的医療機器は、カテーテル又はガイドワイヤであり、任意選択的に、前記フレキシブル伸長機器部は、前記ハンドルから取り外し可能である、請求項１から８のいずれか一項に記載の侵襲的医療機器。
【請求項１０】
請求項１から９のいずれか一項に記載の侵襲的医療機器と、
制御ユニットと、
を含み、
前記制御ユニットは、マイクロコントローラに結合されるユーザインターフェース、及び、前記侵襲的医療機器の前記電流源接続部の１つに接続するための少なくとも１つの電流源を含み、
前記マイクロコントローラは、前記ユーザインターフェースを用いて提供されるユーザ入力に基づいて、前記少なくとも１つの電流源による前記電流源接続部への電流の供給を制御する、侵襲的医療機器装置。
【請求項１１】
前記少なくとも１つの電流源は、前記電流源接続部の異なる１つにそれぞれ接続される複数の電流源を含む、請求項１０に記載の侵襲的医療機器装置。
【請求項１２】
前記制御ユニットは、前記侵襲的医療機器の前記ハンドルに組み込まれる、請求項１０又は１１に記載の侵襲的医療機器装置。
【請求項１３】
前記少なくとも１つの電流源に結合される電池を更に含む、請求項１２に記載の侵襲的医療機器装置。
【請求項１４】
前記制御ユニットは更に、前記マイクロコントローラに結合される通信モジュールを含み、前記マイクロコントローラは更に、前記通信モジュールを介して撮像システムから受信した前記操縦可能なフレキシブル先端部を操縦するための操縦信号に基づいて、前記少なくとも１つの電流源による前記電流源接続部への電流の供給を制御する、請求項１０から１３のいずれか一項に記載の侵襲的医療機器装置。
【請求項１５】
請求項１４に記載の侵襲的医療機器装置と、
前記侵襲的医療機器の少なくとも前記操縦可能なフレキシブル先端部を含む患者の身体の一部の画像を生成するために、電磁放射線発生器及び電磁放射線コレクタを含む画像生成器と、
前記電磁放射線コレクタに結合され、
前記患者の身体の一部内の前記操縦可能なフレキシブル先端部の実際の向きを決定するように前記画像を処理し、
前記実際の向きと前記操縦可能なフレキシブル先端部の所望の向きとの差を決定し、
前記差に基づいて前記操縦可能なフレキシブル先端部用の操縦信号を生成し、
前記侵襲的医療機器装置の前記通信モジュールに前記操縦信号を提供する画像プロセッサと、
を含む、撮像システム。
【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
検査室内でのＸ線撮像を支援する装置であって、
第１の物体を撮像するためのＸ線イメージャの動作の間において、一次Ｘ線撮像ビームのボリューム外に配置される少なくとも１つのＸ線センサにより取得されるＸ線散乱の測定値を受信するための入力インターフェースと、
ｉ）前記測定値が、前記検査室内に前記第１の物体以外の第２の物体がない場合に予測されるべき通常の散乱を超える場合、前記検査室内に撮像されるべきでない第２の物体が存在すること；又は
ii）前記測定値が、既知の質量を持つ前記第１の物体に対して予測されるべき通常の散乱を下回らない場合、前記第１の物体の十分なＸ線露出が存在すること；
を予測する予測器要素と、
前記予測の結果を示す予測器信号を出力するための出力インターフェースと、
を有する、装置。
【請求項２】
前記予測器信号に応答して、ｉ）聴覚的及びii）光学的の何れか一方又は組合せである、警報信号を発するトランスジューサを更に有する、請求項１に記載の装置。
【請求項３】
表示ユニット上に前記予測器信号に関するメッセージを表示するレンダラを有する、請求項１又は請求項２に記載の装置。
【請求項４】
通信ネットワークを介して前記予測器信号に関するメッセージを受信側に伝送する通信要素を有する、請求項１から３の何れか一項に記載の装置。
【請求項５】
前記予測器信号に基づいて、少なくとも前記第１の物体において受入されるＸ線の線量に影響を与える動作を生じさせる安全実行部を有する、請求項１から４の何れか一項に記載の装置。
【請求項６】
前記Ｘ線イメージャが前記第１の物体を撮像するためのＸ線検出器を有し、前記少なくとも１つのセンサが前記Ｘ線検出器とは異なる、請求項１から５の何れか一項に記載の装置。
【請求項７】
前記Ｘ線イメージャがＸ線検出器を有し、前記少なくとも１つのセンサが該Ｘ線検出器の一部である、請求項１から５の何れか一項に記載の装置。
【請求項８】
前記予測器要素の動作がＸ線散乱の測定値の１以上のサンプルにより訓練される機械学習アルゴリズムに基づくものである、請求項１から７の何れか一項に記載の装置。
【請求項９】
前記予測器要素が前記測定値を１以上の予め定められたＸ線散乱閾値と比較する、請求項１から８の何れか一項に記載の装置。
【請求項１０】
請求項１から９の何れか一項に記載の装置；
前記Ｘ線イメージャ；及び
前記少なくとも１つのＸ線センサ；
を有する、撮像システム。
【請求項１１】
前記Ｘ線イメージャが部屋内に位置し、前記少なくとも１つのＸ線センサが該部屋の壁、床又は天井に配置される、請求項１０に記載の撮像システム。
【請求項１２】
前記少なくとも１つのＸ線センサが前記Ｘ線イメージャ上に配置される、請求項１０又は請求項１１に記載の撮像システム。
【請求項１３】
Ｘ線イメージャのＸ線検出器に取り付け可能なＸ線撮像のための格子構造体であって、当該格子構造体の外部の、前記Ｘ線イメージャのＸ線源の焦点の空間における第１位置に焦点を合わされた第１の複数の壁部、及び当該格子構造体の外部であり前記第１位置とは異なる第２位置であって、一次放射線の代わりに散乱放射線を拾うために、前記Ｘ線イメージャの前記Ｘ線源の焦点から離れるように向けられた当該第２位置に焦点を合わされた第２の複数の壁部を有する、格子構造体。
【請求項１４】
請求項１から８の何れか一項に記載の装置と；
請求項１３に記載の格子構造体が前記Ｘ線検出器に取り付けられた前記Ｘ線イメージャと、
を有し、
前記Ｘ線検出器の１以上のピクセルから少なくとも１つのＸ線センサが形成される、
撮像システム。
【請求項１５】
検査室内でのＸ線撮像を支援する方法であって、
撮像のために第１の物体をＸ線に暴露するためのＸ線イメージャのＸ線源の動作の間において、一次Ｘ線撮像ビームのボリューム外に配置される少なくとも１つのＸ線センサにより取得されるＸ線散乱の測定値を受信するステップと、
ｉ）前記測定値が、前記検査室内に前記第１の物体以外の第２の物体がない場合に予測されるべき通常の散乱を超える場合、前記検査室内に撮像されるべきでない第２の物体が存在すること；又は
ii）前記測定値が、既知の質量を持つ前記第１の物体に対して予測されるべき通常の散乱を下回らない場合、前記第１の物体の十分なＸ線露出が存在すること；
を予測するステップと、
前記予測の結果を示す予測器信号を出力するステップと、
を有する、方法。
【請求項１６】
少なくとも１つの処理ユニットにより実行された場合に請求項１５に記載の方法を実行する、コンピュータプログラム。
【請求項１７】
請求項１６に記載のコンピュータプログラムを記憶した、コンピュータ読取可能な媒体。
【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
血管構造のＸ線画像の画像コントラスト強調のためのデバイスであって、前記デバイスは、
入力ユニットと、
プロセッサと、
を含み、
前記入力ユニットは、
造影剤注入での血管構造の取得Ｘ線画像を提供し、前記造影剤注入は、少なくとも１つの造影剤注入パラメータを有する現在の造影剤注入設定で行われ、
前記現在の造影剤注入設定を提供し、
前記プロセッサは、
前記現在の造影剤注入設定に基づいて、前記血管構造の少なくとも主要血管の画像コントラストの予測を決定し、
前記画像コントラストの前記予測に基づいて、前記血管構造の前記主要血管の適応画像コントラスト強調を決定し、前記適応画像コントラスト強調は、前記取得Ｘ線画像の画像コントラストを強調するための前記取得Ｘ線画像への適応を規定し、
前記適応画像コントラスト強調を前記取得Ｘ線画像に適用して、コントラスト強調されたＸ線画像を生成する、デバイス。
【請求項２】
前記コントラスト強調されたＸ線画像を提供する出力ユニットを更に含み、前記出力ユニットはディスプレイである、請求項１に記載のデバイス。
【請求項３】
請求項１に記載の血管構造のＸ線画像の画像コントラスト強調のためのデバイスと、
造影剤注入での血管構造の前記Ｘ線画像を取得する、Ｘ線撮像デバイスと、
前記現在の造影剤注入設定での前記造影剤注入を提供する、造影剤注入装置と、
を含む、Ｘ線撮像システム。
【請求項４】
前記造影剤注入装置は、少なくとも１つの造影剤注入パラメータを有する前記現在の造影剤注入設定で前記造影剤注入を行う、請求項３に記載のＸ線撮像システム。
【請求項５】
前記造影剤注入設定は、送達されたヨード濃縮物、注入タイミング、注入量、注入速度、ヨード濃縮物の粘度、及びリアルタイム圧力曲線からなる群から選択される造影剤注入パラメータを含む、請求項３に記載のＸ線撮像システム。
【請求項６】
血管構造のＸ線画像の画像コントラスト強調のための方法であって、
造影剤注入での血管構造の取得Ｘ線画像を提供するステップであって、前記造影剤注入は、少なくとも１つの造影剤注入パラメータを有する現在の造影剤注入設定で行われる、ステップと、
前記現在の造影剤注入設定を提供するステップと、
前記現在の造影剤注入設定に基づいて、前記血管構造の少なくとも主要血管の画像コントラストの予測を決定するステップと、
前記画像コントラストの前記予測に基づいて、前記血管構造の前記主要血管の適応画像コントラスト強調を決定するステップであって、前記適応画像コントラスト強調は、前記取得Ｘ線画像の画像コントラストを強調するための前記取得Ｘ線画像への適応を規定する、ステップと、
コントラスト強調されたＸ線画像を生成するために、前記適応画像コントラスト強調を、患者の前記血管構造の前記取得Ｘ線画像に適用するステップと、
を含む、方法。
【請求項７】
造影剤注入での血管構造の前記Ｘ線画像を取得するステップを更に含み、前記造影剤注入は、少なくとも１つの造影剤注入パラメータを有する前記現在の造影剤注入設定で行われる、請求項６に記載の方法。
【請求項８】
前記取得Ｘ線画像の現在のコントラストパラメータを決定するステップを更に含み、
前記現在のコントラストパラメータが所定の閾値を下回る場合、前記適応画像コントラスト強調が適用される、請求項６に記載の方法。
【請求項９】
前記造影剤注入設定は、送達されたヨード濃縮物、注入タイミング、注入量、注入速度、ヨード濃縮物の粘度及び前記血管構造の少なくとも１つの血管のリアルタイム圧力曲線からなる群から選択される造影剤注入パラメータを含む、請求項６に記載の方法。
【請求項１０】
造影剤注入設定で造影剤を注入するステップを更に含む、請求項６に記載の方法。
【請求項１１】
前記血管構造は、現在の患者の現在の特定の血管構造に関連する適応血管構造を含む、請求項６に記載の方法。
【請求項１２】
Ｘ線撮像システムを制御するための命令を含むコンピュータプログラムを記憶する、非一時的コンピュータ可読記憶媒体であって、前記命令は、プロセッサによって実行されると、前記プロセッサに、
造影剤注入での血管構造の取得Ｘ線画像を提供させ、前記造影剤注入は、少なくとも１つの造影剤注入パラメータを有する現在の造影剤注入設定で行われ、
前記現在の造影剤注入設定を提供させ、
前記現在の造影剤注入設定に基づいて、前記血管構造の少なくとも主要血管の画像コントラストの予測を決定させ、
前記画像コントラストの前記予測に基づいて、前記血管構造の前記主要血管の適応画像コントラスト強調を決定させ、前記適応画像コントラスト強調は、前記取得Ｘ線画像の画像コントラストを強調するための前記取得Ｘ線画像への適応を規定し、
コントラスト強調されたＸ線画像を生成するために、前記適応画像コントラスト強調を、患者の前記血管構造の前記取得Ｘ線画像に適用させる、
非一時的コンピュータ可読記憶媒体。
【請求項１３】
前記プロセッサは更に、患者の特定の状態に基づいて、前記画像コントラストの前記予測を決定する、請求項１に記載のデバイス。
【請求項１４】
前記患者の前記特定の状態は、前記患者の特定の血管構造、前記患者の解剖学的構造、前記患者の病気、及びこれらの組合せからなる群から選択される、請求項１３に記載のデバイス。
【請求項１５】
前記画像コントラストの前記予測は、前記患者の特定の状態に基づいて決定される、請求項６に記載の方法。
【請求項１６】
前記患者の前記特定の状態は、前記患者の特定の血管構造、前記患者の解剖学的構造、前記患者の病気、及びこれらの組合せからなる群から選択される、請求項１５に記載の方法。
【請求項１７】
前記画像コントラストの前記予測は、前記患者の特定の状態に基づいて決定される、請求項１２に記載の非一時的コンピュータ可読記憶媒体。
【請求項１８】
前記患者の前記特定の状態は、前記患者の特定の血管構造、前記患者の解剖学的構造、前記患者の病気、及びこれらの組合せからなる群から選択される、請求項１７に記載の非一時的コンピュータ可読記憶媒体。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
生体組織における折り畳み可能インプラントの展開状態を予測するためのデバイスであって、前記デバイスが、
受信ユニットと、
セグメント分けモジュールと、
探索ユニットと、
位置合わせモジュールと、
シミュレーションユニットと、
を備え、
前記受信ユニットが、処置前３Ｄ計画画像データと処置画像データとを受信し、前記処置画像データが、カテーテル画像データを含み、前記カテーテル画像データが、標識画像データを含み、
前記標識画像データが、デバイスに基づく標識画像データを含み、
前記セグメント分けモジュールが、前記処置前３Ｄ計画画像データをセグメント分けして、セグメント分けされた３Ｄ計画画像データを結果的にもたらし、
前記探索ユニットが、前記処置画像データ内において前記デバイスに基づく標識画像データを場所特定して、知られた標識位置と知られた標識配向とを結果的にもたらし、
前記位置合わせモジュールが、前記セグメント分けされた３Ｄ計画画像データを前記処置画像データに位置合わせして、位置合わされた処置画像データを結果的にもたらし、
前記シミュレーションユニットが、前記位置合わされた処置画像データにおける前記知られた標識位置及び前記知られた標識配向に基づいて、前記生体組織における前記折り畳み可能インプラントの前記展開状態をシミュレーションして、前記生体組織に位置するシミュレーションによる展開されたインプラントを結果的にもたらす、デバイス。
【請求項２】
前記デバイスが、
フィードバックモジュール、
をさらに備え、
前記フィードバックモジュールが、前記生体組織に位置するシミュレーションによる展開された前記インプラントの視覚フィードバックを提供する、
請求項１に記載のデバイス。
【請求項３】
前記位置合わせモジュールが、専用３Ｄ／３Ｄ又は２Ｄ／３Ｄモダリティ間位置合わせアルゴリズムにより実施される、
請求項１又は請求項２に記載のデバイス。
【請求項４】
前記生体組織が、心臓血管組織、末梢脈管組織、腎臓組織、又は、肝臓組織のうちの１つである、
請求項１から請求項３のいずれか一項に記載のデバイス。
【請求項５】
前記位置合わせモジュールが、前記処置前３Ｄ計画画像データ及び前記処置画像データにおける同様のモダリティの対応する走査の画像及びコントラスト特徴を関連付けるコスト関数を最小化する、
請求項１から請求項４のいずれか一項に記載のデバイス。
【請求項６】
前記セグメント分けモジュールが、前記処置画像データにセグメント分けを適用して、セグメント分けされた処置画像データを結果的にもたらし、
前記位置合わせモジュールが、セグメント分けされた前記処置前３Ｄ計画画像データの出力と前記セグメント分けされた処置画像データの出力とを位置合わせる、
請求項１から請求項５のいずれか一項に記載のデバイス。
【請求項７】
前記位置合わせモジュールが、天然の標識の集合及び／又は人工的な標識の集合に基づいて、前記セグメント分けされた３Ｄ計画画像データを前記処置画像データに位置合わせる、
請求項１から請求項６のいずれか一項に記載のデバイス。
【請求項８】
前記セグメント分けモジュールが、患者に特有の個人に合った表面メッシュを生成するために、形状制約変形可能モデルを３Ｄ計画画像に適応させ、
好ましくは、前記シミュレーションユニットが、前記インプラントと前記個人に合った表面メッシュとの間の相互作用をモデル化することにより、シミュレーションを行う、
請求項１から請求項７のいずれか一項に記載のデバイス。
【請求項９】
前記シミュレーションユニットが、展開された前記インプラントによりもたらされる合併症の可能性を表す１つ又は複数の定量的パラメータを提供する、
請求項１から請求項８のいずれか一項に記載のデバイス。
【請求項１０】
生体組織における折り畳み可能インプラントの展開状態を予測するためのシステムであって、前記システムが、
カテーテルと、
請求項１から請求項９のいずれか一項に記載のデバイスと、
を備え、
前記カテーテルが、
少なくとも１つの標識と、
折り畳まれた状態における前記折り畳み可能インプラントと、
を備え、
前記カテーテルが、患者の脈管系に挿入可能である、
システム。
【請求項１１】
前記システムが、
画像獲得デバイス、
をさらに備え、
前記画像獲得デバイスが、処置画像データを獲得し、
前記画像獲得デバイスが、前記処置画像データを提供する、
請求項１０に記載のシステム。
【請求項１２】
前記折り畳み可能インプラントが、折り畳み可能弁インプラントである、
請求項１０又は請求項１１に記載のシステム。
【請求項１３】
生体組織における折り畳み可能インプラントの展開状態の位置を予測するための方法であって、前記方法が、以下のステップ、すなわち、
ａ）受信ユニットを使用して処置前３Ｄ計画画像データを受信するステップと、
ｂ）前記受信ユニットを使用して処置画像データを受信するステップであって、前記処置画像データが、標識画像データを含むカテーテル画像データを含み、前記標識画像データが、デバイスに基づく標識画像データを含む、受信するステップと、
ｃ）セグメント分けモジュールを使用して前記処置前３Ｄ計画画像データをセグメント分けして、セグメント分けされた３Ｄ計画画像データを結果的にもたらすステップと、
ｄ）探索ユニットを使用して前記処置画像データ内における前記デバイスに基づく標識画像データを場所特定して、知られた標識位置と知られた標識配向とを結果的にもたらすステップと、
ｅ）位置合わせモジュールを使用して、前記セグメント分けされた３Ｄ計画画像データを前記処置画像データに位置合わせして、位置合わされた処置画像データを結果的にもたらすステップと、
ｆ）シミュレーションユニットを使用して、前記位置合わされた処置画像データにおける前記知られた標識位置及び前記知られた標識配向に対する前記折り畳み可能インプラントの前記展開状態をシミュレーションして、前記生体組織に位置するシミュレーションによる展開されたインプラントを結果的にもたらすステップと、
を有し、
前記ステップｂ）と前記ステップｃ）とが、任意の順序で実施される、
方法。
【請求項１４】
処理ユニットにより実行されたときに、請求項１３に記載の方法のステップを実施する、請求項１から請求項９のいずれか一項に記載のデバイス又は請求項１０から請求項１２のいずれか一項に記載のシステムを制御するためのコンピュータプログラム。
【請求項１５】
請求項１４に記載のコンピュータプログラムを記憶した、コンピュータ可読媒体。
【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
人工歯肉（１）を製造するための方法であって、前記人工歯肉（１）の３Ｄモデル（３）が、既に提供されており、前記人工歯肉（１）を取り付けるための相応する内部構造（１２）を備えた歯科用模型（２）が、使用者により手動で又はコンピュータ（２３）を用いて全自動で構築され、構築された前記歯科用模型（２）は、ＣＡＭ製造機械のような除去製造方法を用いるか、又は３Ｄプリンタ（２９）のような付加製造方法を用いて製造され、前記人工歯肉（１）の前記３Ｄモデル（３）の少なくとも部分的領域（５）を表す歯肉鋳型（４）が、前記人工歯肉（１）の前記３Ｄモデル（３）を使用してネガ型として構築されることを特徴とし、前記歯肉鋳型（４）が、少なくとも２つの部品（１６、１７、１８）から構築され、前記歯肉鋳型（４）の前記部品（１６、１７、１８）が、それらが接続手段（１９）を使用して互いに接続可能な方式で構築され、製造される前記歯肉鋳型（４）内に、シリコーンのような歯肉材料が導入され、硬化される、方法。
【請求項２】
製造される前記人工歯肉（１）が、少なくとも１つのインプラントアナログのための少なくとも１つのインプラント陥凹（２１）を含むことを特徴とする、請求項１に記載の方法。
【請求項３】
異なる面（２０、２２）、すなわち、非臨界面（２２）、座面（５４）および、アンダーカット面（２０）が、前記人工歯肉（１）が、少なくとも一つの非臨界面（８）、少なくとも一つの取付面（９）及び／又は少なくとも一つのアンダーカット面（１０）を有するように前記歯肉鋳型（４）の構築において構築されることを特徴とする、請求項１又は２に記載の方法。
【請求項４】
前記歯肉鋳型（４）が、コンピュータ（２３）を使用してユーザによって手動で構築されることを特徴とし、少なくとも１つの非臨界面（２２）、製造される前記人工歯肉（１）の挿入方向（３９）に対する少なくとも１つのアンダーカット面（２０）、および／または少なくとも１つの座面が、画定される、請求項３に記載の方法。
【請求項５】
前記歯肉鋳型（４）が、コンピュータ（２３）を使用して完全に自動で構築されることを特徴とし、少なくとも１つの非臨界面（２３）、製造される前記人工歯肉（１）の挿入方向（３９）に対する少なくとも１つのアンダーカット面（２０）、および／または少なくとも１つの座面が、画定される、請求項３に記載の方法。
【請求項６】
前記歯肉鋳型（４）の少なくとも１つの追加の分離可能な部品（１７）が、各アンダーカット面（２０）対して構築されることを特徴とする、請求項３〜５のいずれか１項に記載の方法。
【請求項７】
前記歯肉鋳型（４）の追加の分離可能な部品（１８）が、製造される前記人工歯肉（１）の各インプラント陥凹（２１）に対して構築されることを特徴とする、請求項２〜６のいずれか１項に記載の方法。
【請求項８】
製造される前記歯肉鋳型（４）の前記少なくとも１つの非臨界面（２２）が、歯肉材料を注入するための注入チャネルとして使用されることを特徴とする、請求項３〜７のいずれか１項に記載の方法。
【請求項９】
前記構築された歯肉鋳型（４）の前記少なくとも１つの部品（１６、１７、１８）が、ＣＡＭ機械などの除去製造法を使用して、または３Ｄプリンタ（２９）などの付加製造法を使用して製造されることを特徴とする、請求項１〜８のいずれか１項に記載の方法。
【請求項１０】
前記硬化された人工歯肉（１）の過剰な材料、少なくとも１つの注入チャネルが、手動で、または切断デバイスを使用して自動で、製造された前記人工歯肉（１）から切り取られることを特徴とする、請求項１〜９のいずれか１項に記載の方法。
【請求項１１】
前記硬化された人工歯肉（１）が、前記歯肉鋳型（４）から取り外されることを特徴とする、請求項１０に記載の方法。
【請求項１２】
前記歯肉鋳型（４）の前記部品（１６、１７、１８）が、プラグ接続などの接続手段（１９）を使用して互いに機械的に接続可能であることを特徴とする、請求項１〜１１のいずれか１項に記載の方法。
【請求項１３】
前記歯肉鋳型（４）は、硬質プラスチックのような鋳型材料から製造されることを特徴とする、請求項１〜１２のいずれか１項に記載の方法。
【請求項１４】
前記歯肉鋳型（４）は、少なくとも一つの取付面（９）を有するバー（６０）を含むことを特徴とする、請求項１〜１３のいずれか１項に記載の方法。